(57)【要約】【課題】サムネイル画像データを保存する専用のバッファメモリを設けなくても、サムネイル画像データの保存を可能して、サムネイル画像の表示速度の高速化を図れる光ディスク記録再生装置を提供する。【解決手段】光ディスクが挿入されて停止状態で、サムネイル保存フラグがオフのとき光ディスクより画像データが読み込まれサムネイル画像データが生成される。記録用バッファメモリに識別情報と共にサムネイル画像データが保存され、全タイトルに対するサムネイル画像データの保存が完了すると、前記フラグがオンされる。サムネイル一覧表示要求を受けたとき、前記メモリにおける識別情報が光ディスクの識別情報と一致しており、前記フラグがオンであるときに、前記メモリのサムネイル画像データが表示用バッファメモリに送られ、ディスプレイ装置にサムネイル画像が表示される。【選択図】図１
0003126029.tif 000002
【実用新案登録請求の範囲】
【請求項１】
光ディスクに情報を記録したり、光ディスクに記録された情報を再生したりする光ディスク記録再生装置において、
光ディスクが挿入されて停止状態にあるときに、サムネイル保存フラグがオフであるか否かを判定するフラグオフ判定手段と、
前記サムネイル保存フラグがオフであると判定されたときに、光ディスクより画像データを読み込みサムネイル画像データを生成するサムネイル生成部に対してサムネイル生成指示を与えるサムネイル生成指示手段と、
記録用バッファメモリに識別情報と共に前記生成されたサムネイル画像データを保存させるサムネイル保存手段と、
全タイトルに対するサムネイル画像データの前記記録用バッファメモリへの保存が完了したか否かを判定する保存完了判定手段と、
前記記録用バッファメモリへの保存が完了したと判定されたときに、前記サムネイル保存フラグをオンにするフラグオン手段と、
挿入された光ディスクから識別情報を読み込んだ後、サムネイル一覧表示要求を受けたときに、前記記録用バッファメモリにおける識別情報が当該光ディスクの識別情報と一致するか否かを判定する識別情報判定手段と、
前記記録用バッファメモリにおける識別情報が当該光ディスクの識別情報と一致すると判定されたときに、前記サムネイル保存フラグがオンであるか否かを判定するフラグオン判定手段と、
前記サムネイル保存フラグがオンであると判定されたときに、前記記録用バッファメモリに保存されているサムネイル画像データを表示用バッファメモリに送ることによりディスプレイ装置にサムネイル画像を表示させるサムネイル表示処理手段と、を有するサムネイル制御部を備えたことを特徴とする光ディスク記録再生装置。
【請求項２】
光ディスクに情報を記録したり、光ディスクに記録された情報を再生したりする光ディスク記録再生装置において、
光ディスクが挿入されて停止状態にあるときに、前記光ディスクより画像データを読み込みサムネイル画像データを生成させ、記録用バッファメモリに前記生成されたサムネイル画像データを保存させ、サムネイル一覧表示要求を受けたときに、前記記録用バッファメモリに保存されているサムネイル画像データを表示用バッファメモリに送ることにより、ディスプレイ装置にサムネイル画像を表示させるサムネイル制御部を備えたことを特徴とする光ディスク記録再生装置。
【請求項３】
前記サムネイル制御部は、光ディスクが挿入されて停止状態にあるときに、前記光ディスクより画像データを読み込みサムネイル画像データを生成するサムネイル生成部に対してサムネイル生成指示を与えるサムネイル生成指示手段と、記録用バッファメモリに識別情報と共に前記生成されたサムネイル画像データを保存させるサムネイル保存手段と、全タイトルに対するサムネイル画像データの前記記録用バッファメモリへの保存が完了したか否かを判定する保存完了判定手段と、挿入された光ディスクから識別情報を読み込んだ後、サムネイル一覧表示要求を受けたときに、前記記録用バッファメモリにおける識別情報が当該光ディスクの識別情報と一致するか否かを判定する識別情報判定手段と、前記記録用バッファメモリにおける識別情報が当該光ディスクの識別情報と一致すると判定されたときに、前記記録用バッファメモリに保存されているサムネイル画像データを表示用バッファメモリに送ることによりディスプレイ装置にサムネイル画像を表示させるサムネイル表示処理手段とを有することを特徴とする請求項２に記載の光ディスク記録再生装置。
【請求項４】
前記サムネイル制御部は、光ディスクが挿入されて停止状態にあるときに、サムネイル保存フラグがオフであるか否かを判定するフラグオフ判定手段と、前記サムネイル保存フラグがオフであると判定されたときに、光ディスクより画像データを読み込みサムネイル画像データを生成するサムネイル生成部に対してサムネイル生成指示を与えるサムネイル生成指示手段と、記録用バッファメモリに識別情報と共に前記生成されたサムネイル画像データを保存させるサムネイル保存手段と、全タイトルに対するサムネイル画像データの前記記録用バッファメモリへの保存が完了したか否かを判定する保存完了判定手段と、前記記録用バッファメモリへの保存が完了したと判定されたときに、前記サムネイル保存フラグをオンにするフラグオン手段と、挿入された光ディスクから識別情報を読み込んだ後、サムネイル一覧表示要求を受けたときに、前記記録用バッファメモリにおける識別情報が当該光ディスクの識別情報と一致するか否かを判定する識別情報判定手段と、前記記録用バッファメモリにおける識別情報が当該光ディスクの識別情報と一致すると判定されたときに、前記サムネイル保存フラグがオンであるか否かを判定するフラグオン判定手段と、前記サムネイル保存フラグがオンであると判定されたときに、前記記録用バッファメモリに保存されているサムネイル画像データを表示用バッファメモリに送ることによりディスプレイ装置にサムネイル画像を表示させるサムネイル表示処理手段とを有することを特徴とする請求項２に記載の光ディスク記録再生装置。
【考案の詳細な説明】
【技術分野】
【０００１】
本考案は、光ディスクに情報を記録したり、光ディスクに記録された情報を再生したりする光ディスク記録再生装置に関し、特に、サムネイル画像を表示させる処理に関する。
【背景技術】
【０００２】
従来から、ＤＶＤ（デジタル・バーサタイル・ディスク）に対してテレビ番組などの映像データを記録したり、ＤＶＤに記録された映像データを再生したりするＤＶＤレコーダである光ディスク記録再生装置が知られている。このような従来の光ディスク記録再生装置において、ＤＶＤに記録された例えばテレビ番組を再生する場合に、リモコンなどの操作部の操作により、サムネイル一覧表示の要求があると、記録された映像データのダイジェスト画面であるサムネイル画像がディスプレイ装置に一覧表示される。
【０００３】
サムネイル画像は、タイトル（番組）毎の先頭画面、チャプタ毎の先頭画面、任意の場面の何れかにおける静止画像である。サムネイル一覧表示画面は、複数のサムネイル画像を並べてディスプレイ装置に表示したものであり、ＤＶＤに記録されたタイトル別、チャプタ別の映像データの一部の静止画像を一覧することができる。この一覧表示されたサムネイル画像を参照して、所望のタイトルあるいはチャプタを選択することにより、当該タイトルあるいは当該チャプタに対応したフレームにジャンプして、映像データが再生される。
【０００４】
ここで、従来の光ディスク記録再生装置によりサムネイル画像をディスプレイ装置に表示させるときの手順について説明する。
【０００５】
再生したい情報が記録されているＤＶＤを装置に挿入する。ユーザは、操作部を操作してディスプレイ装置にメニュー画面を表示させ、タイトル選択、チャプタ選択などを行うためにサムネイル一覧表示要求を操作部の操作により行うと、ＤＶＤの特定領域のフレームに記録されているナビゲーション情報が読み込まれる。ナビゲーション情報は、ＴＯＣ（テーブル・オブ・コンテンツ）情報とも言われ、ＤＶＤに記録されている番組や音楽などの映像データのタイトル、チャプタ、記録時間、フレーム位置と言った各種情報であり、このナビゲーション情報に基づいてサムネイル画像が作成される。
【０００６】
この光ディスク記録再生装置おいては、タイトル毎あるいはチャプタ毎に画像データを読み込み、演算処理してから復号し、静止画像データを作成し、この静止画像データをサムネイル画像データに変換する。サムネイル画像データは、メモリに格納されるバイナリデータである。サムネイル一覧表示要求され、サムネイル画像データに基づいてディスプレイ装置に表示されたものが、サムネイル画像となる。複数のサムネイル画像をディスプレイ装置に表示させることにより、サムネイル一覧表示画面となる。このサムネイル画像を参照して、ユーザが観たい番組などのサムネイル画像を選択すると、サムネイル画像は、ナビゲーション情報にリンク付けられているので、このサムネイル画像に対応するタイトルあるいはチャプタの映像が読み込まれて、タイトルあるいはチャプタの再生が開始される。
【特許文献１】特開２００４−２２８７１４号公報
【特許文献２】特開２００５−５７９３号公報
【考案の開示】
【考案が解決しようとする課題】
【０００７】
このような従来の光ディスク記録再生装置では、サムネイル画像の表示要求があるたびに、挿入されたＤＶＤから静止画像データを作成し、サムネイル画像をディスプレイ装置に表示させるが、ＤＶＤに記録された画像データの中から必要な画像データを読み込んでからサムネイル画像を表示するまでの時間が必要となるので、サムネイル画像を一覧表示するのに時間が多くかかると言う課題が生じる。
【０００８】
そこで、前記課題を解決するために、特許文献１の従来技術では、ＤＶＤを再生するとき、サムネイル画像データを作成し、保存用バッファに保存し、一度再生したＤＶＤに対するサムネイル画像データは保存用バッファに保存されていることになるので、再生するＤＶＤからサムネイル画像データを取得しなくても、保存用バッファからサムネイル画像データを読み出すことにより、即座にサムネイル画像を表示させることができるようにしている。しかし、この従来技術は、一度再生したＤＶＤに対するサムネイル画像データを保存用バッファに保存し、保存用バッファからサムネイル画像データを読み出すことにより、即座にサムネイル画像を表示させることができるが、ＤＶＤに所望の情報が記録された後、このＤＶＤの情報を初めて再生する場合は、保存用バッファには、サムネイル画像データが保存されていないので、即座にサムネイル画像を表示させることができないと言う欠点がある。なお、保存用バッファは、記憶容量の大きいものを用意しないと、容量不足になる可能性もあり、また、保存用バッファを新たに設ければ、その分コストアップにも繋がることになる。
【０００９】
なお、特許文献２の従来技術は、記憶媒体（光ディスク）上のＴＯＣ、プレイリストやメタデータなどの情報を、管理用記録媒体（フラッシュメモリ）に複製して保有することで、動画、静止画および音声コンテンツの検索や簡単な一覧表示を可能にしているが、本件で言うサムネイル画像の表示速度を高速化させるものではない。
【００１０】
本考案は、上記のような課題を解決するためになされたもので、サムネイル画像データを保存する専用のバッファメモリを設けなくても、サムネイル画像データの保存を可能して、サムネイル画像の表示速度の高速化を図れる光ディスク記録再生装置を提供することを目的とする。
【課題を解決するための手段】
【００１１】
上記目的を達成するために、請求項１の考案は、光ディスクが挿入されて停止状態にあるときに、サムネイル保存フラグがオフであるか否かを判定するフラグオフ判定手段と、前記サムネイル保存フラグがオフであると判定されたときに、光ディスクより画像データを読み込みサムネイル画像データを生成するサムネイル生成部に対してサムネイル生成指示を与えるサムネイル生成指示手段と、記録用バッファメモリに識別情報と共に前記生成されたサムネイル画像データを保存させるサムネイル保存手段と、全タイトルに対するサムネイル画像データの前記記録用バッファメモリへの保存が完了したか否かを判定する保存完了判定手段と、前記記録用バッファメモリへの保存が完了したと判定されたときに、前記サムネイル保存フラグをオンにするフラグオン手段と、挿入された光ディスクから識別情報を読み込んだ後、サムネイル一覧表示要求を受けたときに、前記記録用バッファメモリにおける識別情報が当該光ディスクの識別情報と一致するか否かを判定する識別情報判定手段と、前記記録用バッファメモリにおける識別情報が当該光ディスクの識別情報と一致すると判定されたときに、前記サムネイル保存フラグがオンであるか否かを判定するフラグオン判定手段と、前記サムネイル保存フラグがオンであると判定されたときに、前記記録用バッファメモリに保存されているサムネイル画像データを表示用バッファメモリに送ることによりディスプレイ装置にサムネイル画像を表示させるサムネイル表示処理手段とを有するサムネイル制御部を備えたことを特徴とする光ディスク記録再生装置を提供する。
【００１２】
この構成において、光ディスクが装置に挿入されて、装置が停止状態（記録動作をしていない状態またはファイナライズ動作をしていない状態）にあるときに、フラグオフ判定手段は、サムネイル保存フラグがオフであるか否かを判定する。前記サムネイル保存フラグがオフであると判定されたときに、サムネイル生成指示手段は、サムネイル生成部に対してサムネイル生成指示を与え、これにより、サムネイル生成部は、光ディスクより画像データを読み込み、サムネイル画像データを生成する。次に、サムネイル保存手段は、記録用バッファメモリに識別情報と共に前記生成されたサムネイル画像データを保存させる。保存完了手段が、全タイトルに対するサムネイル画像データの記録用バッファメモリへの保存が完了したと判定すると、フラグオン手段は、前記サムネイル保存フラグをオンにする。
【００１３】
光ディスクが装置に挿入され、サムネイル一覧表示要求を受けたときに、識別情報判定手段は、記録用バッファメモリにおける識別情報が当該光ディスクの識別情報と一致するか否かを判定する。記録用バッファメモリにおける識別情報が当該光ディスクの識別情報と一致すると判定されたときに、フラグオン判定手段は、前記サムネイル保存フラグがオンであるか否かを判定する。前記サムネイル保存フラグがオンであると判定されたときに、サムネイル表示処理手段は、記録用バッファメモリに保存されているサムネイル画像データを、表示用バッファメモリに送って、ディスプレイ装置にサムネイル画像を表示させる。
【００１４】
この構成によれば、サムネイル画像データを保存する専用のバッファメモリを設けなくても、既存の記録用バッファメモリにサムネイル画像データを保存できるので、メモリ追加によるコストアップを抑えることができて、サムネイル画像の表示速度の高速化を図れ、しかも、光ディスクに所望の情報が記録された後、この光ディスクの情報を初めて再生する場合であっても、記録用バッファメモリには、停止状態のときにサムネイル画像データが保存され、既にサムネイル画像データが保存されていることになるので、この記録用バッファメモリからサムネイル画像データを読み出せば、即座にサムネイル画像を表示させることができるようになる。
【００１５】
請求項２の考案は、光ディスクが挿入されて停止状態にあるときに、前記光ディスクより画像データを読み込みサムネイル画像データを生成させ、記録用バッファメモリに前記生成されたサムネイル画像データを保存させ、サムネイル一覧表示要求を受けたときに、前記記録用バッファメモリに保存されているサムネイル画像データを表示用バッファメモリに送ることにより、ディスプレイ装置にサムネイル画像を表示させるサムネイル制御部を備えたことを特徴とする光ディスク記録再生装置を提供する。
【００１６】
この構成において、光ディスクが挿入されて停止状態にあるときに、前記光ディスクより画像データが読み込まれ、サムネイル画像データが生成され、記録用バッファメモリに前記生成されたサムネイル画像データが保存される。サムネイル一覧表示要求を受けると、前記記録用バッファメモリに保存されているサムネイル画像データが表示用バッファメモリに送られるより、ディスプレイ装置にはサムネイル画像が表示される。
【００１７】
この構成によれば、サムネイル画像データを保存する専用のバッファメモリを設けなくても、既存の記録用バッファメモリにサムネイル画像データを保存できるので、メモリ追加によるコストアップを抑えることができて、サムネイル画像の表示速度の高速化を図れ、しかも、光ディスクに所望の情報が記録された後、この光ディスクの情報を初めて再生する場合であっても、記録用バッファメモリには、停止状態のときにサムネイル画像データが保存され、既にサムネイル画像データが保存されていることになるので、この記録用バッファメモリからサムネイル画像データを読み出せば、即座にサムネイル画像を表示させることができるようになる。
【００１８】
請求項３の考案では、請求項２の考案において、前記サムネイル制御部は、光ディスクが挿入されて停止状態にあるときに、前記光ディスクより画像データを読み込みサムネイル画像データを生成するサムネイル生成部に対してサムネイル生成指示を与えるサムネイル生成指示手段と、記録用バッファメモリに識別情報と共に前記生成されたサムネイル画像データを保存させるサムネイル保存手段と、全タイトルに対するサムネイル画像データの前記記録用バッファメモリへの保存が完了したか否かを判定する保存完了判定手段と、挿入された光ディスクから識別情報を読み込んだ後、サムネイル一覧表示要求を受けたときに、前記記録用バッファメモリにおける識別情報が当該光ディスクの識別情報と一致するか否かを判定する識別情報判定手段と、前記記録用バッファメモリにおける識別情報が当該光ディスクの識別情報と一致すると判定されたときに、前記記録用バッファメモリに保存されているサムネイル画像データを表示用バッファメモリに送ることによりディスプレイ装置にサムネイル画像を表示させるサムネイル表示処理手段とを有する。
【００１９】
したがって、前記サムネイル制御部は、サムネイル生成処理、サムネイル保存処理、保存完了判定処理、識別情報判定処理、およびサムネイル表示処理を実現でき、これにより、サムネイル画像データを保存する専用のバッファメモリを設けなくても、既存の記録用バッファメモリにサムネイル画像データを保存でき、光ディスクに所望の情報が記録された後、この光ディスクの情報を初めて再生する場合であっても、記録用バッファメモリには、停止状態のときにサムネイル画像データが保存され、即座にサムネイル画像を表示させることができるようになる。
【００２０】
請求項４の考案では、請求項２の考案において、前記サムネイル制御部は、光ディスクが挿入されて停止状態にあるときに、サムネイル保存フラグがオフであるか否かを判定するフラグオフ判定手段と、前記サムネイル保存フラグがオフであると判定されたときに、光ディスクより画像データを読み込みサムネイル画像データを生成するサムネイル生成部に対してサムネイル生成指示を与えるサムネイル生成指示手段と、記録用バッファメモリに識別情報と共に前記生成されたサムネイル画像データを保存させるサムネイル保存手段と、全タイトルに対するサムネイル画像データの前記記録用バッファメモリへの保存が完了したか否かを判定する保存完了判定手段と、前記記録用バッファメモリへの保存が完了したと判定されたときに、前記サムネイル保存フラグをオンにするフラグオン手段と、挿入された光ディスクから識別情報を読み込んだ後、サムネイル一覧表示要求を受けたときに、前記記録用バッファメモリにおける識別情報が当該光ディスクの識別情報と一致するか否かを判定する識別情報判定手段と、前記記録用バッファメモリにおける識別情報が当該光ディスクの識別情報と一致すると判定されたときに、前記サムネイル保存フラグがオンであるか否かを判定するフラグオン判定手段と、前記サムネイル保存フラグがオンであると判定されたときに、前記記録用バッファメモリに保存されているサムネイル画像データを表示用バッファメモリに送ることによりディスプレイ装置にサムネイル画像を表示させるサムネイル表示処理手段とを有する。
【００２１】
したがって、前記サムネイル制御部は、フラグオフ判定処理、サムネイル生成処理、サムネイル保存処理、保存完了判定処理、識別情報判定処理、フラグオン判定処理、およびサムネイル表示処理を実現でき、これにより、サムネイル画像データを保存する専用のバッファメモリを設けなくても、既存の記録用バッファメモリにサムネイル画像データを保存でき、光ディスクに所望の情報が記録された後、この光ディスクの情報を初めて再生する場合であっても、記録用バッファメモリには、停止状態のときにサムネイル画像データが保存され、即座にサムネイル画像を表示させることができるようになる。また、前記サムネイル制御部は、サムネイル保存フラグのオン／オフによって、サムネイル画像データを生成させ記録用バッファメモリにサムネイル画像データを保存させるかの判定、サムネイル画像データを表示用バッファメモリに送るかの判定を具体的に行うことが可能になる。
【考案の効果】
【００２２】
以上のように本考案によれば、光ディスクが挿入されて停止状態にあるときに、サムネイル保存フラグがオフであるか否かを判定するフラグオフ判定手段と、前記サムネイル保存フラグがオフであると判定されたときに、光ディスクより画像データを読み込みサムネイル画像データを生成するサムネイル生成部に対してサムネイル生成指示を与えるサムネイル生成指示手段と、記録用バッファメモリに識別情報と共に前記生成されたサムネイル画像データを保存させるサムネイル保存手段と、全タイトルに対するサムネイル画像データの前記記録用バッファメモリへの保存が完了したか否かを判定する保存完了判定手段と、前記記録用バッファメモリへの保存が完了したと判定されたときに、前記サムネイル保存フラグをオンにするフラグオン手段と、挿入された光ディスクから識別情報を読み込んだ後、サムネイル一覧表示要求を受けたときに、前記記録用バッファメモリにおける識別情報が当該光ディスクの識別情報と一致するか否かを判定する識別情報判定手段と、前記記録用バッファメモリにおける識別情報が当該光ディスクの識別情報と一致すると判定されたときに、前記サムネイル保存フラグがオンであるか否かを判定するフラグオン判定手段と、前記サムネイル保存フラグがオンであると判定されたときに、前記記録用バッファメモリに保存されているサムネイル画像データを表示用バッファメモリに送ることによりディスプレイ装置にサムネイル画像を表示させるサムネイル表示処理手段とを有するサムネイル制御部を備えたので、サムネイル画像データを保存する専用のバッファメモリを設けなくても、既存の記録用バッファメモリにサムネイル画像データを保存でき、これにより、メモリ追加によるコストアップを抑えることができて、サムネイル画像の表示速度の高速化を図れ、しかも、光ディスクに所望の情報が記録された後、この光ディスクの情報を初めて再生する場合であっても、記録用バッファメモリには、停止状態のときにサムネイル画像データが保存され、既にサムネイル画像データが保存されていることになるので、この記録用バッファメモリからサムネイル画像データを読み出せば、即座にサムネイル画像を表示させることができるようになる。
【００２３】
また、本考案によれば、光ディスクが挿入されて停止状態にあるときに、前記光ディスクより画像データを読み込みサムネイル画像データを生成させ、記録用バッファメモリに前記生成されたサムネイル画像データを保存させ、サムネイル一覧表示要求を受けたときに、前記記録用バッファメモリに保存されているサムネイル画像データを表示用バッファメモリに送ることにより、ディスプレイ装置にサムネイル画像を表示させるサムネイル制御部を備えたので、サムネイル画像データを保存する専用のバッファメモリを設けなくても、既存の記録用バッファメモリにサムネイル画像データを保存でき、これにより、メモリ追加によるコストアップを抑えることができて、サムネイル画像の表示速度の高速化を図れ、しかも、光ディスクに所望の情報が記録された後、この光ディスクの情報を初めて再生する場合であっても、記録用バッファメモリには、停止状態のときにサムネイル画像データが保存され、既にサムネイル画像データが保存されていることになるので、この記録用バッファメモリからサムネイル画像データを読み出せば、即座にサムネイル画像を表示させることができるようになる。
【考案を実施するための最良の形態】
【００２４】
以下、添付図面を参照しつつ、本考案の実施の形態について説明する。図１は本考案の一実施形態に係る光ディスク記録再生装置の構成を示すブロック図である。
【００２５】
この光ディスク記録再生装置は、光学読取部１、映像ストリーム入力部２、サムネイル生成部３、映像出力部４、映像ストリーム制御部５、サムネイル制御部６、表示用バッファ制御部７、操作部８、表示用バッファメモリ９、記録用バッファメモリ１０、入力信号処理部１１、光学書込み部１２、およびシステムコントローラ１３を備えている。
【００２６】
光学読取部１は、ＤＶＤ（デジタル・バーサタイル・ディスク）などの光ディスク１４から映像データ（画像データ）を、図示しない光ピックアップにより光学的に読み取る。映像ストリーム入力部２は、ＭＰＥＧデコーダなどから成り、光学読取部１で読み取った映像データを復号する。この映像データは、映像ストリーム制御部５によって信号処理が行われ、映像出力部４からテレビ受信機やモニタ装置などのディスプレイ装置１５に出力される。
【００２７】
サムネイル生成部３は、映像ストリーム入力部２から出力された映像データの一部を静止画データに加工して、サムネイル画像データを作成する。表示用バッファメモリ９は、ＲＡＭなどのメモリであって、サムネイルを表示するためのサムネイル画像データを一時的に保存する。表示用バッファ制御部７からの命令によって、表示用バッファメモリ９からサムネイル画像データが映像出力部４に出力される。
【００２８】
サムネイル制御部６は、リモコンや本体操作パネルなどの操作部８から入力されたサムネイル一覧表示の要求に従って動作するシステムコントローラ１３の制御によって、サムネイル画像データを作成するようにサムネイル生成部３を制御し、サムネイル画像データを映像出力部４に出力するように表示用バッファ制御部７を制御し、更に複数のサムネイル画像からから構成されるサムネイル一覧表示画面を表示するように映像出力部４を制御する。
【００２９】
また、サムネイル制御部６は、光ディスク１４が挿入されて停止状態にあるときに、サムネイル保存フラグがオフであるか否かを判定するフラグオフ判定手段と、前記サムネイル保存フラグがオフであると判定されたときに、光ディスク１４より画像データを読み込みサムネイル画像データを生成するサムネイル生成部３に対してサムネイル生成指示を与えるサムネイル生成指示手段と、記録用バッファメモリ１０に識別情報と共に前記生成されたサムネイル画像データを保存させるサムネイル保存手段と、全タイトルに対するサムネイル画像データの記録用バッファメモリ１０への保存が完了したか否かを判定する保存完了判定手段と、記録用バッファメモリ１０への保存が完了したと判定されたときに、前記サムネイル保存フラグをオンにするフラグオン手段と、挿入された光ディスク１４から識別情報を読み込んだ後、サムネイル一覧表示要求を受けたときに、記録用バッファメモリ１０における識別情報が当該光ディスク１４の識別情報と一致するか否かを判定する識別情報判定手段と、記録用バッファメモリ１０における識別情報が当該光ディスク１４の識別情報と一致すると判定されたときに、前記サムネイル保存フラグがオンであるか否かを判定するフラグオン判定手段と、前記サムネイル保存フラグがオンであると判定されたときに、記録用バッファメモリ１０に保存されているサムネイル画像データを表示用バッファメモリ９に送ることによりディスプレイ装置１５にサムネイル画像を表示させるサムネイル表示処理手段とを有する。
【００３０】
記録用バッファメモリ１０は、ＳＤＲＡＭなどのメモリであり、装置が記録時に使用される以外に、装置が定常状態（光ディスク１４が挿入され停止状態）のときにサムネイル画像データを保存するのに使用される。光ディスク記録再生装置（ＤＶＤレコーダ）では、記録動作も行われるので、記録用バッファメモリ１０に記録用バッファ領域を数十ＭＢ確保している。記録動作時には、記録用バッファメモリ１０を使用するが、再生動作時には、記録用バッファメモリ１０を全く使用しないので、サムネイル画像データを保存するのに使用することができる。
【００３１】
サムネイル制御部６からの命令によって、光ディスク１４から取得したサムネイル画像データが保存され、また、サムネイル画像データが表示用バッファメモリ９に出力される。サムネイル画像データには、光ディスク１４を特定するための識別情報が付加されており、この識別情報は光ディスク１４のナビゲーション情報にリンクしている。
【００３２】
個々の光ディスクを判別するための識別情報としては、例えば、トータル記録時間、タイトル、チャプタ、各タイトルやチャプタの時間情報などが挙げられる。これらの情報のうち１つあるいは複数を組み合わせて識別情報とし、サムネイル画像データと共に、記録用バッファメモリ１０に保存する。サムネイル制御部６は、記録用バッファメモリ１０に保存されているサムネイル画像データの識別情報と、挿入されて光ディスク１４の識別情報とが一致するかを確認して、サムネイル画像データの保存の有無の判別を行う。このように識別情報によって、どの光ディスクに対するサムネイル画像データであるかを判別できる。したがって、記録用バッファメモリ１０には、複数の光ディスクに対するサムネイル画像データが保存できる。
【００３３】
入力信号処理部１１は、図示しないが、チューナで選局されたテレビ放送のアナログの映像音声信号あるいは他の映像音声出力機器からの映像音声信号をデジタルの映像音声データに変換するＡ／Ｄ変換回路と、その映像音声データをＭＰＥＧ方式でエンコードするエンコーダとを有し、装置に入力した映像音声信号を光ディスク１４に記録するために必要な前段の信号処理を行う。記録用バッファメモリ１０には、記録時に入力信号処理部１１からのエンコード映像音声データが入力されて一時的に所定量だけ保存され、この保存されたエンコード映像音声データが光学書込み部１２に出力される。
【００３４】
光学書込み部１２は、記録用バッファメモリ１０からのエンコード映像音声データを、光ディスク１４に記録するために変調をかける記録データ変調回路（図示せず）、その変調された変調データに基づいて光ピックアップ（図示せず）から出射するレーザ光を変調させるためのレーザ変調信号を光ピックアップに出力するレーザ変調回路（図示せず）などを有し、映像音声データを光ディスク１４に光学的に記録させる。
【００３５】
図２は本実施形態の光ディスク記録再生装置が定常状態においてサムネイル画像データを記録用バッファメモリに保存するまでの処理を説明するためのフローチャートである。このフローチャートおよび図１を参照して光ディスク記録再生装置が定常状態においてサムネイル画像データを記録用バッファメモリに保存するまでの処理について説明する。
【００３６】
先ず、システムコントローラ１３は、光ディスク１４が装置に挿入されて、装置が停止状態（記録動作をしていない状態またはファイナライズ動作をしていない状態）である定常状態にあるか否かを判定する（ステップＳ１）。光ディスク１４が装置に挿入されて停止状態にあると判定されたときに、サムネイル制御部６のフラグオフ判定手段は、サムネイル保存フラグがオフであるか否かを判定する（ステップＳ２）。サムネイル保存フラグは、例えばレジスタに設定され、そのフラグの値が、論理「１」であれば、オンを示し、論理「０」であれば、オフを示す。
【００３７】
前記サムネイル保存フラグがオフであると判定されたときに、サムネイル制御部６のサムネイル生成指示手段は、サムネイル生成部３に対してサムネイル生成指示を与え、これにより、サムネイル生成部３は、光ディスク１４より画像データを読み込み、サムネイル画像データを生成する（ステップＳ３）。次に、サムネイル制御部６のサムネイル保存手段は、記録用バッファメモリ１０に識別情報と共に前記生成されたサムネイル画像データを保存させる（ステップＳ４）。なお、ステップＳ３，Ｓ４の処理では、光ディスク１４への情報の記録が行われると、このときに記録用バッファメモリ１０が使用されるので、記録用バッファメモリ１０に保存されていたサムネイル画像データは記録情報により上書きされて消去されるが、記録停止後に再度、サムネイル生成部３によりサムネイル画像データが生成され、前記サムネイル保存手段によりサムネイル画像データが記録用バッファメモリ１０に保存される。
【００３８】
ステップＳ３およびステップＳ４の処理を繰り返し、サムネイル制御部６の保存完了手段が、全タイトルに対するサムネイル画像データの記録用バッファメモリ１０への保存が完了したと判定すると（ステップＳ５）、サムネイル制御部６のフラグオン手段は、記録用バッファメモリ１０への全タイトルに対するサムネイル画像データの保存が完了したと判定されたときに、前記サムネイル保存フラグをオンにする（ステップＳ６）。
【００３９】
図３は本実施形態の光ディスク記録再生装置がサムネイル一覧表示要求を受けたときにサムネイル画像を表示させる処理を説明するためのフローチャートである。このフローチャートおよび図１を参照して光ディスク記録再生装置がサムネイル一覧表示要求を受けたときにサムネイル画像を表示させる処理について説明する。
【００４０】
先ず、情報を再生したい光ディスク１４が装置に挿入されると、サムネイル制御部６の識別情報判定手段は、挿入された光ディスク１４の識別情報を光学読取部１および映像ストリーム入力部２を介して読み込み（ステップＮ１）、この後、サムネイル一覧表示要求を受けたときに（ステップＮ２）、記録用バッファメモリ１０の所定位置の識別情報が当該光ディスク１４の識別情報とが一致するか否かを判定する（ステップＮ３）。
【００４１】
記録用バッファメモリ１０の所定位置の識別情報が当該光ディスク１４の識別情報と一致すると判定されたときに、サムネイル制御部６のフラグオン判定手段は、前記サムネイル保存フラグがオンであるか否かを判定する（ステップＮ４）。前記サムネイル保存フラグがオンであると判定されたときに、サムネイル制御部６のサムネイル表示処理手段は、記録用バッファメモリ１０の所定位置に保存されているサムネイル画像データを、表示用バッファメモリ９に送って（ステップＮ５）、表示用バッファメモリ９に一時的に保存し、この後、表示用バッファメモリ９からサムネイル画像データを読み出して、映像出力部４に出力する。
【００４２】
これにより、映像出力部４では、入力したサムネイル画像データを表示用の映像信号に変換し、この映像信号をディスプレイ装置１５に供給することにより、ディスプレイ装置１５にサムネイル画像を表示させる（ステップＮ６）。ステップＮ５とステップＮ６の処理が、所定個数のサムネイル画像がディスプレイ装置１５に表示されるまで、繰り返され、所定個数のサムネイル画像がディスプレイ装置１５に表示されると、本処理は終了する。
【００４３】
なお、ステップＮ３において、記録用バッファメモリ１０の所定位置の識別情報と光ディスク１４の識別情報とが一致しないと判定された場合、または、ステップＮ４において、サムネイル保存フラグがオフであると判定された場合には、通常通り光ディスク１４から画像データを光学読取部１により読み込み、前述した動作をそれぞれ行う、映像ストリーム入力部２、サムネイル生成部３、表示用バッファメモリ９、および映像出力部４により、ディスプレイ装置１５にサムネイル画像を表示する（ステップＮ８）。
【００４４】
図４は本実施形態において記録開始時にサムネイル保存フラグをオフにする条件を説明するためのフローチャートである。このフローチャートおよび図１を参照して記録開始時にサムネイル保存フラグをオフにする条件について説明する。
【００４５】
光ディスク１４が装置に挿入された後、操作部８の記録キーが押下されることにより、または録画予約による録画開始時刻になることにより、システムコントローラ１３が装置を記録モードに設定して、記録が開始すると（ステップＡ１）、これに応答して、サムネイル制御部６は、サムネイル保存フラグをオフする（ステップＡ２）。したがって、図２に示すステップＳ２では、サムネイル保存フラグがオフであると判定され、ステップＳ３〜Ｓ５の処理を経て、サムネイル保存フラグがオンされる（ステップＳ６）。
【００４６】
図５は本実施形態においてファイナライズ開始時にサムネイル保存フラグをオフにする条件を説明するためのフローチャートである。このフローチャートおよび図１を参照してファイナライズ開始時にサムネイル保存フラグをオフにする条件について説明する。
【００４７】
光ディスク１４が装置に挿入された後、光ディスク１４に対するファイナライズを開始させる操作を操作部８により行うと、システムコントローラ１３は、光ディスク１４に対するファイナライズを開始し（ステップＢ１）、これに応答して、サムネイル制御部６は、サムネイル保存フラグをオフする（ステップＢ２）。したがって、この場合も、図２に示すステップＳ２では、サムネイル保存フラグがオフであると判定され、ステップＳ３〜Ｓ５の処理を経て、サムネイル保存フラグがオンされる（ステップＳ６）。
【００４８】
以上説明したように本実施形態によれば、サムネイル画像データを保存する専用のバッファメモリを設けなくても、既存の記録用バッファメモリ１０にサムネイル画像データを保存できるので、メモリ追加によるコストアップを抑えることができて、サムネイル画像の表示速度の高速化を図れ、しかも、光ディスクに所望の情報が記録された後、この光ディスクの情報を初めて再生する場合であっても、記録用バッファメモリ１０には、停止状態のときにサムネイル画像データが保存され、既にサムネイル画像データが保存されていることになるので、この記録用バッファメモリ１０からサムネイル画像データを読み出せば、即座にサムネイル画像をディスプレイ装置１５に表示させることができるようになる。従来の光ディスク記録再生装置においては、光ディスク（ＤＶＤ）でのサムネイル画像の表示は、ハードディスクに比べて転送速度が低いので、表示に多くの時間がかかっていたが、本実施形態の光ディスク記録再生装置では、サムネイル画像の表示速度の高速化を実現できる。
【産業上の利用可能性】
【００４９】
本考案は、記録媒体がＤＶＤなどの光ディスクに対して情報の記録／再生を行う単体のＤＶＤレコーダ（光ディスク記録再生装置）、またはビデオカセットテープに対して情報の記録／再生を行うＶＣＲ（ビデオカセットレコーダ）とＤＶＤレコーダとの複合型記録再生装置に利用可能であり、ＤＶＤの情報を再生する場合に表示されるサムネイル画像の表示速度を高速化できる。
【図面の簡単な説明】
【００５０】
【図１】本考案の一実施形態に係る光ディスク記録再生装置の構成を示すブロック図である。
【図２】前記実施形態の光ディスク記録再生装置が定常状態においてサムネイル画像データを記録用バッファメモリに保存するまでの処理を説明するためのフローチャートである。
【図３】前記実施形態の光ディスク記録再生装置がサムネイル一覧表示要求を受けたときにサムネイル画像を表示させる処理を説明するためのフローチャートである。
【図４】前記実施形態において記録開始時にサムネイル保存フラグをオフにする条件を説明するためのフローチャートである。
【図５】前記実施形態においてファイナライズ開始時にサムネイル保存フラグをオフにする条件を説明するためのフローチャートである。
【符号の説明】
【００５１】
３    サムネイル生成部
６    サムネイル制御部（フラグオフ判定手段、サムネイル生成指示手段、サムネイル保存手段、保存完了判定手段、フラグオン手段、識別情報判定手段、フラグオン判定手段、サムネイル表示処理手段）
９    表示用バッファメモリ
１０    記録用バッファメモリ
１４    光ディスク
１５    ディスプレイ装置
【図１】
0003126029.tif 000003
【図２】
0003126029.tif 000004
【図３】
0003126029.tif 000005
【図４】
0003126029.tif 000006
【図５】
0003126029.tif 000007